(57)【特許請求の範囲】
【請求項１】
円板状に形成されたキャップ本体と、
前記キャップ本体の中心部を通るとともに前記円板状の面内の直線上に沿って移動可能に配置され、外方に突出するように付勢されるように前記キャップ本体に取り付けられている一対の操作部とを備え、
レンズ鏡筒前端部の内周に形成された係合部に着脱自在に装着されるレンズキャップにおいて、
前記一対の操作部は、第１ガイド軸用穴と第１位置決め軸用穴とを有する第１操作部と、第２ガイド軸用穴と第２位置決め軸用穴とを有する第２操作部とを備え、
前記一対の操作部は、前記キャップ本体から取り外されている状態において、前記第１操作部における前記第１ガイド軸用穴と前記第１位置決め軸用穴との配置が、前記第２操作部における前記第２ガイド軸用穴と前記第２位置決め軸用穴との配置と異なるように形成されており、
前記第１操作部における前記第１ガイド軸用穴と前記第１位置決め軸用穴との配置および前記第２操作部における前記第２ガイド軸用穴と前記第２位置決め軸用穴との配置に基づいて前記キャップ本体に前記一対の操作部が取り付けられた際に、前記キャップ本体と前記一対の操作部との外周面には、前記係合部に係合するねじ山が連続して形成されることを特徴とするレンズキャップ。
【請求項２】
前記キャップ本体に前記一対の操作部が取り付けられた際に、前記第１ガイド軸用穴は前記第２ガイド軸用穴と対向し、前記第１位置決め軸用穴は前記第２位置決め軸用穴と対向することを特徴とする請求項１に記載のレンズキャップ。
【請求項３】
前記第１ガイド軸用穴と前記第２ガイド軸用穴とは同一形状であり、前記第１位置決め軸用穴と前記第２位置決め軸用穴とは同一形状であることを特徴とする請求項１または２に記載のレンズキャップ。
【請求項４】
前記第１ガイド軸用穴と前記第１位置決め軸用穴とは異なる形状であり、前記第２ガイド軸用穴と前記第２位置決め軸用穴とは異なる形状であることを特徴とする請求項１〜３のいずれか一項に記載のレンズキャップ。
【請求項５】
前記第１操作部および前記第２操作部において、前記外周面のねじ山と前記第１ガイド軸用穴と前記第２ガイド軸用穴と前記第１位置決め軸用穴と前記第２位置決め軸用穴とはアンダーカット部であることを特徴とする請求項１〜４のいずれか一項に記載のレンズキャップ。
【請求項６】
前記第１操作部および前記第２操作部は、前記レンズキャップが前記係合部に装着された際に前記レンズ鏡筒前端部側に位置する面に、溝がそれぞれ形成されており、
前記キャップ本体は、前記一対の操作部が取り付けられた際に前記溝に少なくとも一部が対向し、かつ、前記レンズキャップが前記係合部に装着された際に前記溝より前記レンズ鏡筒前端部側に位置する係止用突起部を有することを特徴とする請求項１〜５のいずれか一項に記載のレンズキャップ。
【請求項７】
前記係止用突起部は、前記一対の操作部が取り付けられた際に前記溝に少なくとも一部が入り込む先端部を有し、
前記先端部は、前記溝に向かって傾斜する一面を有するくさび状に形成されていることを特徴とする請求項６に記載のレンズキャップ。
【請求項８】
前記キャップ本体に前記一対の操作部が取り付けられた際に、前記キャップ本体と前記一対の操作部の外周面には、前記係合部に係合する第１取付用ガイド部と、前記第１取付用ガイド部より小径の第２取付用ガイド部とが形成されることを特徴とする請求項１〜７のいずれか一項に記載のレンズキャップ。
【発明の詳細な説明】
【０００１】
【産業上の利用分野】
本発明は、たとえばスチルカメラ、ビデオカメラ等に用いるレンズのレンズ鏡筒前端部内周の係合部に着脱自在に装着されるレンズキャップに関するものである。
【０００２】
【従来の技術】
従来、カメラの非撮影時にレンズを保護する為にレンズ鏡筒前端部内周の係合部に装着するレンズキャップとして、以下のようなものがある。つまり、円形状のキャップ本体に対して、レンズ鏡筒前端部内周の係合部に係合するとともに、使用者の操作により、キャップ本体の中心方向へ待避して係合を解除される一対の操作部を設けたものである。この操作部はキャップ本体に対して放射方向へバネ等により付勢されており、また、このレンズキャップは操作部のキャップ本体からの抜け止めとして、操作部に設けられた溝とキャップ本体に設けた突起部を係合させる構成となっている。また、対向する一対の操作部の光軸方向のねじの位相はレンズ鏡筒の係合部に取り付けた際に係合をより深く、確実に行うことができるように、お互いにねじの半ピッチずらした構成となっている。そして、組立時に、光軸方向のねじの位相が同じ操作部を誤ってキャップ本体へ装着することを防止するため、形状の異なる操作部をそれぞれ組にして使用する。さらに、レンズ鏡筒への装着時における位置決めや取り付けガタ防止のため、レンズ鏡筒の係合部のねじ内径よりも僅かに小さな径の円環状のガイド部がキャップ本体の外周部近傍に設けられている。
【０００３】
【発明が解決しようとする課題】
しかしながら、上記の如き構成においては、以下のような不具合があった。つまり、操作部に対するキャップ本体の放射方向への付勢力により、キャップ本体に設けられた係止用突起部がキャップ本体の円板側から離反する方向に塑性変形することがあり、レンズキャップをレンズに装着した際に、変形した係止用突起部がレンズの先端面に傷をつける恐れがあった。また、対向する一対の操作部のそれぞれの形状が異なるため、操作部を成型するためのモールドの金型であるキャビ型とコア型を共通化することができず、コストアップの要因になっていた。さらに、ねじ込み式レンズフードをレンズに取り付けた状態でレンズキャップを装着可能にすることを考慮して、キャップ本体の円環状のガイド部の径をレンズフード取り付け部の内径よりも小さな径にすると、レンズキャップを直接レンズ鏡筒に装着した場合、取り付け後のガタが大きくなり、レンズへのゴミや水滴の侵入の恐れがあった。
【０００４】
【課題を解決するための手段】
上記課題を解決するために、請求項１に係る発明では、円板状に形成されたキャップ本体と、前記キャップ本体の中心部を通るとともに前記円板状の面内の直線上に沿って移動可能に配置され、外方に突出するように付勢されるように前記キャップ本体に取り付けられている一対の操作部とを備え、レンズ鏡筒前端部の内周に形成された係合部に着脱自在に装着されるレンズキャップにおいて、前記一対の操作部は、第１ガイド軸用穴と第１位置決め軸用穴とを有する第１操作部と、第２ガイド軸用穴と第２位置決め軸用穴とを有する第２操作部とを備え、前記一対の操作部は、前記キャップ本体から取り外されている状態において、前記第１操作部における前記第１ガイド軸用穴と前記第１位置決め軸用穴との配置が、前記第２操作部における前記第２ガイド軸用穴と前記第２位置決め軸用穴との配置と異なるように形成されており、前記第１操作部における前記第１ガイド軸用穴と前記第１位置決め軸用穴との配置および前記第２操作部における前記第２ガイド軸用穴と前記第２位置決め軸用穴との配置に基づいて前記キャップ本体に前記一対の操作部が取り付けられた際に、前記キャップ本体と前記一対の操作部との外周面には、前記係合部に係合するねじ山が連続して形成されるように構成した。
【０００５】
また、請求項２に係る発明では、請求項１に記載のレンズキャップにおいて、前記キャップ本体に前記一対の操作部が取り付けられた際に、前記第１ガイド軸用穴は前記第２ガイド軸用穴と対向し、前記第１位置決め軸用穴は前記第２位置決め軸用穴と対向するように構成した。
【０００６】
また、請求項３に係る発明では、請求項１または２に記載のレンズキャップにおいて、前記第１ガイド軸用穴と前記第２ガイド軸用穴とは同一形状であり、前記第１位置決め軸用穴と前記第２位置決め軸用穴とは同一形状であるように構成した。
【０００７】
また、請求項４に係る発明では、請求項１〜３のいずれか一項に記載のレンズキャップにおいて、前記第１ガイド軸用穴と前記第１位置決め軸用穴とは異なる形状であり、前記第２ガイド軸用穴と前記第２位置決め軸用穴とは異なる形状であるように構成した。
また、請求項５に係る発明では、請求項１〜４のいずれか一項に記載のレンズキャップにおいて、前記第１操作部および前記第２操作部において、前記外周面のねじ山と前記第１ガイド軸用穴と前記第２ガイド軸用穴と前記第１位置決め軸用穴と前記第２位置決め軸用穴とはアンダーカット部であるように構成した。
また、請求項６に係る発明では、請求項１〜５のいずれか一項に記載のレンズキャップにおいて、前記第１操作部および前記第２操作部は、前記レンズキャップが前記係合部に装着された際に前記レンズ鏡筒前端部側に位置する面に、溝がそれぞれ形成されており、前記キャップ本体は、前記一対の操作部が取り付けられた際に前記溝に少なくとも一部が対向し、かつ、前記レンズキャップが前記係合部に装着された際に前記溝より前記レンズ鏡筒前端部側に位置する係止用突起部を有するように構成した。
また、請求項７に係る発明では、請求項６に記載のレンズキャップにおいて、前記係止用突起部は、前記一対の操作部が取り付けられた際に前記溝に少なくとも一部が入り込む先端部を有し、前記先端部は、前記溝に向かって傾斜する一面を有するくさび状に形成されているように構成した。
また、請求項８に係る発明では、請求項１〜７のいずれか一項に記載のレンズキャップにおいて、前記キャップ本体に前記一対の操作部が取り付けられた際に、前記キャップ本体と前記一対の操作部の外周面には、前記係合部に係合する第１取付用ガイド部と、前記第１取付用ガイド部より小径の第２取付用ガイド部とが形成されるように構成した。
【０００８】
【発明の実施の形態】
以下に、本発明の実施形態を図１および図２と共に説明する。図１は本発明の一実施例であるレンズキャップの正面図であり、右半分に組み立て状態を、左半分に分解状態をあらわしている。図２（ａ）は図１に示すＰ側面図、図２（ｂ）は同じくＱ−Ｑ断面図、図２（ｃ）は同じくＲ−Ｒ断面図、図２（ｄ）は同じくＳ−Ｓ断面図である。図１に示すように、本レンズキャップは合成樹脂等で略円板状に成形されたキャップ本体１と、一対の操作部２等から構成されている。キャップ本体１の周辺部の互いに対向する位置に一対の切欠部３が設けられており、それぞれの切欠部３には、相対向する摺動ガイド面４が形成されている。摺動ガイド面４の近傍には、操作部の抜け止めのために、操作部の溝１２に係合する係止用突起部が設けられている。この突起部は図２（ｂ）に示すように、その一端がキャップ本体１に固定されており、他端がキャップ本体１にほぼ直交する方向に弾性変形可能に形成されている。係止用突起部５の先端部はくさび状になっており、操作部の溝端面１２ａに対してキャップ本体１の略中央部に向かう方向に向くように面が形成されている。またキャップ本体１の中央部から対向する切欠部方向に伸びた２本の円柱状のばねガイド軸８が形成されている。さらに、ばねガイド軸８の近傍に、ばねガイド軸８と平行に、２本の円柱状の位置決め軸９がキャップ本体中央部１９から対向する切欠部方向に伸びるように形成されている。一方、操作部２はキャップ本体１の外周と同様な円弧形状をもつ押圧部１０と、キャップ本体１の摺動ガイド面４に挿接する摺動面１１と、キャップ本体１の係止用突起部５の先端が入り込む溝１２と、押圧部１０より内径側に段違いの円弧状突起部１３とから構成されており、円弧状突起部１３の端面にはレンズ鏡筒前端部内周の係合部に契合するためのねじ部１４が設けられている。一対の操作部２は互いに異なる位相で形成されたねじ部１４を有している。また押圧部１０と反対側の端面１５には、キャップ本体１のばねガイド軸８と位置決め軸９に対応する位置にそれぞれの軸が挿入可能なばねガイド軸用穴１６と位置決め軸用穴１７が形成されている。
【０００９】
レンズキャップの組立は以下のように行う。キャップ本体１の対向するばねガイド軸８にコイルばね１８をセットし、操作部２の摺動面１１をキャップ本体１の摺動ガイド面４に合わせ、ばねの抗力に抗うようにレンズキャップの中心部に向けて操作部２を押し込んでいく。係止用突起部５がキャップ本体１から離反する方向に一旦変形し、係止用突起部の先端が溝１２に到達すると溝１２に入り込む。この状態からさらに操作部２をレンズキャップの中心部に向けて押し込んでいくと、端面１５がキャップ本体中央部１９に突き当たり、操作部２の押し込み方向の制限となる。ここで操作部２を押し込む力を解除するとコイルばね１８の働きにより一対の操作部２はそれぞれ外方へ向けた力を受け、溝端面１２ａが係止用突起部５の先端に当接するまで移動する。このとき操作部２に外方に突出する力が作用した場合は、溝端面１２ａに係合している係止用突起部５の先端は圧縮方向の力を受けるが、その係合位置は、係止用突起部５の弾性変形中心位置２０に比べ、キャップ本体の面に直交する方向において、よりキャップ本体１側にあるため、係止用突起部５の先端は溝１２のより深い方向（図２（ｂ）における上方向）に付勢される。
【００１０】
前述したように、一対の操作部２の、キャップ本体１の面に直交する軸方向のねじの位相はお互いに半ピッチずらして構成されている。これによりレンズキャップをレンズ鏡筒３０に装着した際の両者のねじ結合をより深く、確実に行うようにするためであるが、本実施例の操作部２のキャップ本体１に対する取付部の形状、すなわちばねガイド軸８とばねガイド軸用穴１６、位置決め軸９と位置決め軸用穴１７のそれぞれの配置はキャップ本体１に直交し、かつキャップ本体１の中心を通る軸に対してそれぞれ回転非対称であるように構成したので、キャップ本体１の面に直交する軸方向のねじの位相が同じである同一種類の操作部２を誤ってキャップ本体１へ装着することを未然に防止できる。
【００１１】
また、一対の操作部２の押圧部１０、摺動面１１、溝１２などの基本形状は同一であるため、射出成形におけるキャビ型、コア型はそれぞれ共通の構成にすることが可能となる。一方、ばねガイド軸用穴１６、位置決め軸用穴１７、およびねじ部１４はアンダーカット部のため、スライド型による成形となる。この際、一対の操作部２は、キャップ本体１の面に直交する軸方向のねじの位相が半ピッチずれていること、ばねガイド軸用穴１６、位置決め軸用穴１７の配置関係が異なっていることの理由により、スライド型は共通にはできないが、ねじ部１４、ばねガイド軸用穴１６、位置決め軸用穴１７の個々の形状はほぼ同一のため、成型時におけるヒケ、ウェルド対策は共通して対処可能である。
図２（ｄ）に示すように、キャップ本体１の裏面の外周部には、レンズ鏡筒前端部内周の係合部よりも小径の複数の直径を有する円環状の突起部により構成された取付用ガイド部大径部３１ａ、取付用ガイド部小径部３１ｂが設けられている。
【００１２】
図３は本発明の一実施例であるレンズキャップの、レンズ鏡筒への装着を示す断面図であり、図４は本発明の一実施例であるレンズキャップの、レンズフードを取りつけたレンズ鏡筒への装着を示す断面図である。
【００１３】
取付用ガイド大径部３１ａの外径（ΦＤ２）はレンズ鏡筒前端部内周の係合部の内径（ΦＤ１）よりも若干小さく、取付用ガイド小径部３１ｂの外径（ΦＤ４）はレンズ鏡筒前端部に装着した例えばレンズフード３４等のねじ込み式アクセサリの取付部の内径（ΦＤ３）よりも若干小さく形成されている。従ってレンズ鏡筒３０にレンズキャップを装着する場合には、図３（ｂ）に示すように取付用ガイド大径部３１ａの外径部がレンズ鏡筒前端部内周の内径部に係合することで径方向の位置決めが行われ、径方向の位置決めガタ量は最大値がＤ１−Ｄ２に収まる。またレンズ鏡筒前端部にレンズフード３４等を装着した状態でレンズキャップを装着する場合には、図４（ｂ）に示すように取付用ガイド小径部３１ｂの外径部がレンズフード３４等の取付部の内径部に係合することで径方向の位置決めが行われ、径方向の位置決めガタ量は最大値がＤ３−Ｄ４に収まる。
また、図５（ａ）、図６（ａ）に示すように取付用ガイド部を連続的に外径が変化する斜面３５を含む構成にしてもよい。以下に詳細を説明する。取付用ガイド部３１の斜面３５による取付用ガイド部の最大径（ΦＤ２）はレンズ鏡筒前端部内周の係合部の内径（ΦＤ１）よりも若干小さく、同じく最小径（ΦＤ４）はレンズ鏡筒前端部に装着した例えばレンズフード３４等のねじ込み式アクセサリの取付部の内径（ΦＤ３）よりも若干小さく形成されている。従ってレンズ鏡筒３０にレンズキャップを装着する場合には、図５（ｂ）に示すように斜面３５による取付用ガイド部の最大径部がレンズ鏡筒前端部内周の内径部に係合することで径方向の位置決めが行われ、径方向の位置決めガタ量は最大値がＤ１−Ｄ２に収まる。またレンズ鏡筒前端部にレンズフード３４等を装着した状態でレンズキャップを装着する場合には、図６（ｂ）に示すように斜面３５による取付用ガイド部の最小径部がレンズフード３４等の取付部の内径部に係合することで径方向の位置決めが行われ、径方向の位置決めガタ量は最大値がＤ３−Ｄ４に収まる。
【００１４】
レンズキャップをレンズ鏡筒３０に装着するには、まず、操作部２のねじ部１４の外径がレンズ鏡筒前端部内周の係合部内径よりも小さくなるまで、一対の操作部２をレンズキャップの中心方向に押し込み、次にレンズキャップをレンズ鏡筒前端部に押し当てた後に押圧部１０を解放することによって、レンズ鏡筒前端部内周の係合部に係合させる。
【００１５】
【発明の効果】
以上のように本発明の如きレンズキャップによれば、
キャップ本体に設けられ、一端が固定され、他端がキャップ本体にほぼ直交する方向に弾性変形可能に構成されるとともに、操作部に係合してこれを係止する係止用突起部を備え、係止用突起部と操作部との係合位置は、係止用突起部の弾性変形中心位置に比べ、光軸方向において、よりキャップ本体側にあるように構成したために、操作部に外方に突出する力が働いた場合に、係止用突起部は操作部材側に移動する方向にのみ力を受けるためレンズ側に変形することはない。従ってレンズキャップをレンズに装着した際に、塑性変形した係止用突起部がレンズの先端ガラス面を傷つける恐れがない。
【００１６】
また操作部の各部の形状をほぼ同一にしつつ、操作部のキャップ本体に対する取付部の形状をキャップ本体に直交する軸に対してそれぞれ回転非対称に構成したので、一対の内の同じ操作部をキャップ本体に装着することを防止しながらも、モールドの金型であるキャビ型とコア型に関して、一対の操作部についての共通化が図れ、スライド型の成型時におけるヒケ、ウェルド対策は共通して対処可能となる。
【００１７】
また取付用ガイド部は複数の外径を有するように構成したので、レンズ鏡筒単体もしくはレンズ鏡筒にレンズフード等のねじ込み式アクセサリを取り付けたいずれの状態においても、取付ガタを少なくレンズキャップを装着することが可能であり、レンズ内へゴミや水滴が侵入し難くなるとともに、大きな取付ガタが原因でレンズキャップが傾いて取り付いてしまい、キャップの一部分がレンズ鏡筒前端部の内側に入り込み、レンズのガラス表面に傷をつけることもない。
【図面の簡単な説明】
【図１】本発明の実施例に関わるレンズキャップの正面図である。
【図２】本発明の実施例に関わるレンズキャップの側面図および断面図である。
【図３】本発明の実施例に関わるレンズキャップの、レンズ鏡筒への装着を示す断面図である。
【図４】本発明の実施例に関わるレンズキャップの、レンズフードを取りつけたレンズ鏡筒への装着を示す断面図である。
【図５】本発明の別の実施例に関わるレンズキャップのレンズ鏡筒への装着を示す断面図である。
【図６】本発明の別の実施例に関わるレンズキャップの、レンズフードを取りつけたレンズ鏡筒への装着を示す断面図である。
【符号の説明】
１…キャップ本体
２…操作部
５…係止用突起部
３１ａ…取付用ガイド大径部
３１ｂ…取付用ガイド小径部
【図１】
0004161588.tif 000002
【図２】
0004161588.tif 000003
【図３】
0004161588.tif 000004
【図４】
0004161588.tif 000005
【図５】
0004161588.tif 000006
【図６】
0004161588.tif 000007